(57)【要約】【課題】ユーザが現に居る地域に関する犯罪情報を、このユーザが保持する移動通信端末上に表示する。【解決手段】  携帯電話機３のＧＰＳユニット３５は、この携帯電話機３の現在位置を検出し、携帯電話機３は、その位置を示す情報をサーバ装置１へ送信する。このサーバ装置１は、携帯電話機３から受信した位置情報が示す位置を含む地域についての犯罪発生ＤＢから、犯罪情報を読み出す。そして、メール作成／更新アプリ１２４を用いて、読み出した犯罪情報を集計して示すメールを作成し、利用者登録ＤＢ１３１に登録されている送信元携帯電話機３のメールアドレス宛へ、当該メールを送信する。【選択図】  図１
2005277952.tif 000002
【特許請求の範囲】
【請求項１】
移動端末と無線接続される移動通信ネットワークを通じて、当該移動端末へ犯罪に関する犯罪情報を送信するための犯罪情報提供システムであって、
サービス提供エリア内で過去に発生した複数の犯罪について、夫々、その犯罪の発生日時、発生場所、犯罪内容を示す犯罪情報を格納するデータベース手段と、
前記サービス提供エリアを複数に分割してなる複数の地域のうち前記移動端末が存在する地域を検知する端末位置検知手段と、
この端末位置検知手段によって検知された地域内にその発生場所が含まれる前記犯罪情報を、前記データベース手段から読み出す犯罪情報読出手段と、
この犯罪情報読出手段によって読み出された犯罪情報を編集する編集手段と、
この編集手段によって編集された犯罪情報を前記移動通信ネットワークを通じて前記移動端末へ送信する送信手段と
を備えたことを特徴とする移動通信ネットワークを用いた犯罪情報提供システム。
【請求項２】
前記端末位置検知手段は、前記移動端末から通知された位置情報が何れの地域内を示すかに基づいて、前記複数の地域の何れに前記移動端末が存在するかを検知する
ことを特徴とする請求項１記載の移動通信ネットワークを用いた犯罪情報提供システム。
【請求項３】
前記データベース手段は、各犯罪情報を、その犯罪情報が示す発生場所が含まれる地域に基づいて分類して格納し、
前記犯罪情報読み出し手段は、前記端末位置検知手段によって検知された前記移動端末が存在する地域について、分類されて前記データベース手段によって格納されている犯罪情報を読み出す
ことを特徴とする請求項１記載の移動通信ネットワークを用いた犯罪情報提供システム。
【請求項４】
前記編集手段は、前記犯罪情報読出手段によって読み出された複数の犯罪情報を、その犯罪内容の種類毎に集計する
ことを特徴とする請求項１記載の移動通信ネットワークを用いた犯罪情報提供システム。
【請求項５】
前記編集手段は、前記犯罪情報読出手段によって読み出された複数の犯罪情報の犯罪内容を単一の文面にまとめる
ことを特徴とする請求項１記載の移動通信ネットワークを用いた犯罪情報提供システム。
【請求項６】
前記送信手段は、前記編集手段によって編集された犯罪情報を、電子メールとして送信する
ことを特徴とする請求項１記載の移動通信ネットワークを用いた犯罪情報提供システム。
【発明の詳細な説明】
【技術分野】
【０００１】
本発明は、移動通信ネットワークを通じて、移動通信端末が存在する地域に関する犯罪情報を当該移動通信端末へ提供する方法に関する。
【背景技術】
【０００２】
近年における犯罪発生率の上昇に因り、国内・国外を問わず、馴染みのない地域に出掛ける場合には、出掛ける先の地域における治安状況や犯罪発生状況，即ち、犯罪情報を出掛ける前に知っておく必要がある。また、たとえ馴染みのある地域に出掛ける場合でも、凶悪犯罪の容疑者が他の地域から入り込んで潜伏するというように、地域の危険度は刻一刻と変化するので、やはり、その地域の犯罪情報を出掛ける前に知っておく必要がある。さらに、自己が居住する地域でさえ、危険度が不変であるという保障はないので、その地域の犯罪情報を知っておくことが望ましい。
【０００３】
このような理由に因り各地域の犯罪情報を知る必要がある者は、自ら、一方的に流されてくるテレビやラジオのニュース、新聞記事の中から必要な情報を取得しなければならない。もしくは、警視庁のホームページ等の犯罪情報を公開しているインターネットサイトに積極的にアクセスして、必要な情報を探知しなければならない。
【発明の開示】
【発明が解決しようとする課題】
【０００４】
しかしながら、このようなメディアを通じて取得可能な犯罪情報は莫大であるので、その中から目的地域に関する情報を的確に取捨選別することは困難である。特に、身近におこる犯罪（ひったくり、通り魔）については、その発生件数も多いので、目的地域で発生したものを見逃してしまう可能性があった。しかも、これらのメディアは、通常屋内でアクセスするものであるので、目的地域へ移動している間に新たな犯罪情報が発生した場合には、それを知ることは殆ど不可能である。
【０００５】
本発明は、このような問題点に鑑みて案出されたものであり、その課題は、ユーザが現に居る地域に関する犯罪情報を、このユーザが保持する移動通信端末上に表示することができる移動通信ネットワークを用いた犯罪情報提供システムを、提供することである。
【課題を解決するための手段】
【０００６】
上記課題を解決するために案出された本発明による移動通信ネットワークを用いた犯罪情報提供システムは、移動端末と無線接続される移動通信ネットワークを通じて、当該移動端末へ犯罪に関する犯罪情報を送信するための犯罪情報提供システムであって、サービス提供エリア内で過去に発生した複数の犯罪について、夫々、その犯罪の発生日時、発生場所、犯罪内容を示す犯罪情報を格納するデータベース手段と、前記サービス提供エリアを複数に分割してなる複数の地域のうち前記移動端末が存在する地域を検知する端末位置検知手段と、この端末位置検知手段によって検知された地域内にその発生場所が含まれる前記犯罪情報を、前記データベース手段から読み出す犯罪情報読出手段と、この犯罪情報読出手段によって読み出された犯罪情報を編集する編集手段と、この編集手段によって編集された犯罪情報を前記移動通信ネットワークを通じて前記移動端末へ送信する送信手段とを、備えたことを特徴とする。
【０００７】
このように構成されると、移動端末を持ったユーザがサービス提供エリア内の何れかの地域に入った場合、端末位置検知手段が、その移動端末がその地域に存在することを検知する。すると、犯罪情報読出手段が、データベース手段から、その地域内をその発生場所としている犯罪情報を読み出す。読み出された一又は複数の犯罪情報は、編集手段によってひとまとまりの文面に編集され、編集された犯罪情報が、送信手段によって前記移動端末へ送信される。
【０００８】
データベース手段には、犯罪発生場所が含まれる地域毎に分類された状態で複数の犯罪情報が格納されていても良いし、分類されずに複数の犯罪情報が格納されていても良い。前者の場合、分類された地域毎の犯罪情報は、夫々に用意されたデータベースに格納されていても良い。また、このデータベースが公知の掲示板データベースであるとともに、各犯罪情報が掲示板に記載されるトピックスであっても良い。
【０００９】
端末位置検知手段は、移動端末がＧＰＳ機能を持っている場合には、この移動端末がＧＰＳ機能を用いて検知して移動通信ネットワークを通じて送信してきた位置情報に基づいて、この移動端末が存在する地域を検知すれば良い。また、移動端末がＧＰＳ（Grobal Positioning System）機能を持っていない場合でも、この移動端末が携帯電話機，自動車電話機若しくはＰＨＳ（Personal Phone System）電話機（それら電話機の無線通信機能を組み込んだＰＤＡ［Personal Digital Assistant］を含む）であれば、当該移動端末と直接無線接続されている移動電話網の地上局が存在する地域を検知すれば足りる。
【００１０】
犯罪情報読出手段は、データベース手段から、その地域内をその発生場所としている全犯罪情報を読み出しても良いが、過去一定期間内をその発生日時としている犯罪情報のみを読み出しても良いし、その移動端末へ送信する為には過去に読み出したことがない犯罪情報のみを読み出しても良い。
【００１１】
編集手段は、犯罪情報読出手段が複数の犯罪情報を読み出した場合には、その犯罪内容の種類毎に集計しても良いし、その犯罪内容を、ひとまとまりの文面にまとめることによって編集しても良い。
【００１２】
送信手段は、編集手段によって単一の文面に編集された犯罪情報を、電子メールの形式で移動端末へ送信しても良いし、Ｗｅｂコンテンツとして送信しても良い。
【発明の効果】
【００１３】
以上のように構成された本発明による移動通信ネットワークを用いた犯罪情報提供システムによれば、ユーザが現に居る地域に関する犯罪情報を、このユーザが保持する移動通信端末上に表示することができる。
【発明を実施するための最良の形態】
【００１４】
以下、図面に基づいて、本発明による犯罪情報提供システムの実施の形態を説明する。本実施形態は、移動通信端末としてＧＰＳ機能付き携帯電話を用いた例である。
【００１５】
（システム構成）
図１は、本実施形態による犯罪情報提供システムが適用されたネットワークシステムの概略構成を示すブロック図である。この図１に示されるように、このネットワークシステムは、犯罪情報提供サービスを提供している業者（以下、「サービス提供業者」という）が運営するネットワーク上に存在する各種サーバの機能を１台のコンピュータ上に集約して示した１台のサーバ装置１と、当該サービス提供業者のネットワークに接続されている図示せぬルータを介して接続されたインターネット（一次プロバイダのルータ，バックボーン，二次プロバイダのルータ，等からなるコンピュータネットワーク）Ｎと、このインターネットＮに接続された移動電話網（多数の地上局，これら各地上局に有線接続されているとともに階層構造的に相互に有線接続された複数の交換局，インターネットＮとのゲートウェイ，等からなる通信網）Mと、この移動電話網Ｍの何れかの地上局と無線接続されるとともにこの移動電話網Ｍ及びインターネットＮを通じてサーバ装置１にアクセス可能である携帯電話機３と、インターネットＮに接続された犯罪発生情報サーバ４とから、構成されている。
【００１６】
携帯電話機３は、サービス提供業者との間で犯罪情報提供サービスに関する契約を交わしたサービス利用者が使用権限を有している携帯電話機（移動端末）である。但し、携帯電話機３の代わりに、携帯電話カードが装着されたＰＤＡ（Personal Digital Assistant）が用いられても良い。また、携帯電話機３の代わりに、ＰＨＳ端末が用いられても良い。
【００１７】
この携帯電話機３は、バスＢを介して互いに接続されたＣＰＵ３０，無線装置３１，ディスプレイ３２，キーボード３３，メモリ３４，ＧＰＳユニット３５及び音声入力装置３６から、構成されている。
【００１８】
ＣＰＵ３０は、メモリ３４に格納されているプログラムに従って、携帯電話機３を構成する他のハードウェアを制御することによって、携帯電話の各種機能（音声通話機能，メール作成，送受信及び表示機能，ウェブブラウズ機能，等）を実現する制御装置である。
【００１９】
無線装置３１は、ＣＰＵ３０による制御に応じて移動電話網Ｍの図示せぬ地上局との間でデータを無線送受信する装置（アンテナ及び変復調装置を含む）である。音声入出力装置３６は、主に音声通話のためのマイク及びスピーカーである。
【００２０】
キーボード３３は、ＣＰＵ３０に対して各種コマンド及びデータ（例えば、相手先電話番号，メール送信先のメールアドレス，閲覧対象ＷｅｂページのＵＲＬ，等）を入力するためのテンキー，カーソルキー及びファンクションキーを含む入力装置である。
【００２１】
ＧＰＳユニット３５は、ＧＰＳ機能によって当該携帯電話機３が存在する地点の緯度及び経度を検出する装置である。ＧＰＳ機能については、公知であるのでその詳細な説明は省略するが、簡単に説明すると、最少３個のＧＰＳ衛星から発信されるＧＰＳ信号（時刻情報及び衛星識別情報を搬送する信号）をＧＰＳアンテナで受信し、各ＧＰＳ信号に含まれる時刻情報同士の相対的ズレに基づいてこれらＧＰＳ衛星の位置に対する自己の相対位置として、自己の現在位置（緯度及び経度）を算出するというものである。なお、このＧＰＳユニット３５による位置検出は、予め設定された所定周期で行われる。また、この携帯電話機３からのデータ送信は、メッセージをパケットのペイロードに格納することによって行われるが、このパケット内（ヘッダ内若しくはペイロード内）には、最新の位置検出によって得られた緯度・経度が記述される。
【００２２】
ディスプレイ３２は、ＣＰＵ３０が上記各種機能を実現するのに伴って生成した画面を表示するための表示装置である。
【００２３】
メモリ３４は、ＣＰＵ３０に上記各種機能を実行させるプログラム及び各種データを格納しているＲＯＭ，ＣＰＵ３０の作業領域が構築されるＲＡＭから、構成される。
【００２４】
メモリ（ＲＯＭ）３４に格納されているプログラムには、ＴＣＰ［ＴＬＰ］／ＩＰ［ＰＤＣ−Ｐ］に従った通信機能を実現するプログラム，ＨＴＴＰ［ＡＬＰ］に従ったウェブページ閲覧機能を実現するプログラム，ＧＰＳユニット３５を制御して緯度・経度を取得するためのドライバプログラムが、含まれている。
【００２５】
サーバ装置１は、実際には、当該サービス提供業者が運営するネットワーク上に存在する複数のサーバコンピュータ及びルータである。このようなサーバ装置１には、メールサーバの機能を果たすもの、サービス利用者に対してコンテンツを提供するコンテンツ提供サービス（犯罪情報提供サービス）を実行するコンテンツサーバの機能を果たすもの、認証サーバの機能を果たすもの、課金サーバの機能を果たすもの等が、含まれている。但し、ここでは、説明を簡略化させるために、これらの各種サーバ及びゲートウェイの機能が、一台のコンピュータ上で実行されるプログラムによって実現されるものとして、説明を行う。
【００２６】
このサーバ装置１としてのコンピュータは、互いにバスＢによって接続されたＣＰＵ１０，通信インタフェース１１，ＲＡＭ１２及びハードディスク１３から、構成されている。これらのうち、ＣＰＵ１０は、このサーバ装置１全体の制御を行う中央処理装置（コンピュータ）である。また、ＲＡＭ１２は、ＣＰＵ１０が各種処理を実行するに際しての作業領域が展開される主記憶装置である。また、通信インタフェース１１は、インターネットＮに繋がる専用線とのインターフェースを含み、インターネットＮを介して携帯電話機３や犯罪発生情報サーバ４と通信可能な通信装置である。
【００２７】
ハードディスク１３は、ＣＰＵ１０によって読み出されて実行される各種プログラム１３０及び各種データを格納しているディスク装置である。このハードディスク１３が格納している各種プログラム１３０には、上述した各種機能を果たすためのプログラム（例えば、上述したコンテンツサーバの機能を果たすためのＷｅｂサーバプログラム及び幾つかのアプリケーションプログラム［データベース更新アプリケーションプログラム１２１，掲示板更新アプリケーションプログラム１２２，ＧＰＳ情報振替検索アプリケーションプログラム１２３，メール作成／送信アプリケーションプログラム１２４］）が、含まれている。これらのうち、図示せぬＷｅｂサーバプログラム及び、各アプリケーションプログラム１２１〜１２４については、図５〜図７のフローチャートを参照して後で詳しく説明する。
【００２８】
また、ハードディスク１３が格納している各種データには、利用者登録データベース１３１，各地域毎の犯罪発生データベース１３２〜１３４，リアルタイム犯罪発生情報データベース１３５が、含まれている。
【００２９】
この利用者登録データベース１３１には、各サービス利用者毎に、その氏名等の個人識別情報，認証情報，携帯電話機３の電子メールアドレスが、格納されている。
【００３０】
各犯罪発生データベース１３２〜１３４には、夫々に対応した地域（例えば、各繁華街，各紛争地域等、サービス提供エリアを複数に分割してなる複数の地域）内で発生した犯罪の内容（犯罪情報）が登録される。具体的には、各犯罪発生データベース１３２〜１３４は、犯罪種別テーブル及び犯罪発生データテーブルを含んでいる。この犯罪種別テーブルには、図２に示すように、各犯罪名毎に、その犯罪名に割り当てられた識別番号（犯罪種別番号）が登録されている。また、犯罪発生データテーブルには、図３に示すように、発生した各犯罪毎に、その犯罪の発生日時，その犯罪の発生場所（緯度，経度），その犯罪の犯罪名を示す犯罪種別番号（その犯罪名について犯罪種別テーブルに登録されている犯罪種別番号）が、登録されている。これら犯罪発生データベース１３２〜１３４が、データベース手段に相当する。
【００３１】
リアルタイム犯罪発生情報データベース１３５には、各サービス利用者によって犯罪情報が任意に書き込まれるとともに、その書き込まれた内容が各サービス利用者に対して公開される掲示板である。具体的には、このリアルタイム犯罪発生情報データベース１３５は、図４に示す口コミ情報データテーブルを含んでいる。この口コミ情報データテーブルには、新たに犯罪情報が書き込まれる毎に、その犯罪情報の内容を記録したレコードが追加される。即ち、各レコードには、その登録日，犯罪情報が対象とする犯罪の発生場所（緯度，経度），その犯罪の犯罪名を示す犯罪種別番号（その犯罪名について犯罪種別テーブルに登録されている犯罪種別番号），その犯罪についての情報提供者のコメント（口コミ情報）が、記録される。このリアルタイム犯罪発生情報データベース１３５も、データベース手段に相当する。
【００３２】
犯罪発生情報サーバ４は、例えば警視庁や各公安委員会が運営するインターネットサーバ装置であり、サーバ装置１と同様のハードウェア構成を備えている。この犯罪発生情報サーバ４は、その運営者の管轄内又は全国の犯罪情報を図３に示す犯罪発生データテーブルと同様のデータ構造によって管理している犯罪発生マップデータベース４０を備えている。そして、この犯罪発生情報サーバ４内で実行される図示せぬプログラムは、その管理者によって逐次入力される新たな犯罪情報を犯罪発生マップデータベース４０に追記するとともに、インターネットＮを通じてクライアント（サーバ装置１上のデータベース更新アプリケーションプログラム１２１を含む）からの検索要求に応じて、その検索の条件に適合した犯罪情報を、リクエスト元クライアントに応答する。
【００３３】
（処理内容）
次に、上述した図示せぬＷｅｂサーバプログラム及び各アプリケーションプログラム１２１〜１２４に従ってサーバ装置１のＣＰＵ１０（以下、単に「サーバ」という）が犯罪情報の収集及び配信のために実行する処理について、図５〜図７のフローチャートを参照して、説明する。
【００３４】
＜リアルタイム犯罪発生情報データベース１３５への犯罪情報の登録＞
図５は、何れかのサービス利用者（情報提供者）が、サーバ（掲示板更新アプリケーションプログラム１３５）に対して、自ら直接見聞きした犯罪についての犯罪情報をリアルタイム犯罪発生情報データベース１３５へ登録させるための「手順」を示すフローチャートである。
【００３５】
この図５に示すように、情報提供者は、犯罪発生を直接見聞きすると（Ｓ０１）、図示せぬクライアントコンピュータを操作することにより、サーバ（掲示板更新アプリケーションプログラム１３５）に対して、その犯罪の発生日時，発生場所（緯度・経度），犯罪種別番号，口コミ情報を通知して、リアルタイム犯罪発生情報データベース１３５への登録を要求する（Ｓ０２）。すると、サーバ（掲示板更新アプリケーションプログラム１３５）は、クライアントコンピュータから受信した犯罪情報を記録したレコードを、リアルタイム犯罪発生情報データベース１３５に追記する。
【００３６】
＜各犯罪発生データベース１３２〜１３４への犯罪情報の登録＞
図６は、サーバ（データベース更新アプリケーションプログラム１２１）によって定期的に自動実行され、犯罪発生マップ４０から新規犯罪情報を収集して、各地域毎に、対応した犯罪発生データベース１３２〜１３４に登録するための「処理」を示すフローチャートである。
【００３７】
処理開始タイミングになると、サーバ（データベース更新アプリケーションプログラム１２１）は、インターネットＮを介して、犯罪発生情報サーバ４に対して、前回実行時の後に犯罪発生マップデータベース４０に登録された犯罪情報を、要求する（Ｓ１１）。
【００３８】
この要求に応じて、犯罪発生情報サーバ４が一乃至複数の犯罪情報を応答してくると、サーバ（データベース更新アプリケーションプログラム１２１）は、受信した犯罪情報を、その発生場所（緯度・経度）が何れの管理対象地域（Ａ地域，Ｂ地域，Ｃ地域）に含まれるかに基づいて、各管理対象地域毎に分類する（Ｓ１２）。
【００３９】
その上で、サーバ（データベース更新アプリケーションプログラム１２１）は、各管理対象地域毎に分類された犯罪情報を、夫々の管理対象地域に対応した犯罪発生データベース１３２〜１３５に登録する（Ｓ１３）。
【００４０】
＜携帯電話への犯罪情報の配信＞
図７は、携帯電話機３の現在位置が属する管理対象地域についての犯罪情報を、当該携帯電話機３へ配信するための「処理」を示すフローチャートであり、その前半（Ｓ２１）は携帯電話機３のＣＰＵ３０が実行する処理を示し、その後半（Ｓ３１〜Ｓ３４）はサーバ（ＧＰＳ情報振替検索アプリケーションプログラム１２３，メール作成／送信アプリケーションプログラム１２４）が実行する処理を示す。
【００４１】
この処理は、携帯電話機３において、上述したように定期的にＧＰＳユニット３５が位置情報（緯度・経度）を取得してメモリ３４に格納する毎に、スタートする。スタート後、携帯電話機３は、メモリ３４に格納されている位置情報（緯度・経度）を、サーバ（ＧＰＳ情報振替検索アプリケーションプログラム１２３）へ送信する（Ｓ２１）。
【００４２】
この位置情報（緯度・経度）を受信したサーバ（ＧＰＳ情報振替検索アプリケーションプログラム１２３）は、送信されてきた位置情報（緯度・経度）を含む管理対象地域（Ａ地域，Ｂ地域，Ｃ地域）を検知し（端末位置検知手段に相当）、検知した地域に対応した犯罪発生データベース１３２〜１３４から、要求元携帯電話機３に関して未読の全犯罪情報を読み出す（犯罪情報読出手段に相当）。そして、読み出した全犯罪情報を、その発生種別番号毎に分類し、各発生種別番号別の件数を集計する（編集手段に相当）（Ｓ３１）。
【００４３】
次に、サーバ（メール作成／送信アプリケーションプログラム１２４）は、Ｓ３１にて読み出した全犯罪情報の件数をチェックする。そして、件数が０件であれば、サーバ（メール作成／送信アプリケーションプログラム１２４）は、処理を終了する。これに対して、件数が１件以上であれば、サーバ（メール作成／送信アプリケーションプログラム１２４）は、リアルタイム犯罪発生情報データベース１３５の口コミ情報データテーブルから、携帯電話機３から送信されてきた位置情報（緯度・経度）と同じ管理対象地域にその発生場所（緯度・経度）が含まれるとともに要求元携帯電話機３に関して未読の全犯罪情報を、読み出す（犯罪情報読出手段に相当）（Ｓ３３）。
【００４４】
続いて、サーバ（メール作成／送信アプリケーションプログラム１２４）は、Ｓ３１にて集計した各発生種別番号毎の件数に基づいて、図８に示すような内容の電子メールを生成する（編集手段に相当）。また、Ｓ３３にて１件以上の犯罪情報が読み出された場合には、サーバ（メール作成／送信アプリケーションプログラム１２４）は、読み出された全犯罪情報の口コミ情報を図９のように列挙した電子メールを生成する（編集手段に相当）。そして、サーバ（メール作成／送信アプリケーションプログラム１２４）は、生成した全電子メールを、要求元携帯電話機３（要求元携帯電話機３の識別情報に対応付けて利用者登録データベース１３１に登録されている電子メールアドレス宛）へ送信する（送信手段に相当）（Ｓ３４）。これら電子メールを受信した携帯電話機３は、それら電子メールの内容を、ディスプレイ３２上に表示する。
【００４５】
（利用例）
以上のように構成された本実施形態による犯罪情報提供システムは、例えば、以下の例のように利用される。
【００４６】
＜利用例１＞
Ａ氏は、α街の飲食店Ｘで、友人と待ち合わせる予定であるので、隣街からα街に入った。すると、α街に入ってから最初に携帯電話機３のＧＰＳユニット３５が位置情報（緯度・経度）を取得したことにより、図７の処理が実行され、口コミ情報を列挙した電子メールが携帯電話機３に送信されてきた。Ａ氏の現在地から飲食店Ｘに辿り着くにはＢ通り、Ｃ通り、Ｄ通りの何れかを通らなければならないが、当該電子メールに列挙された口コミ情報によると、Ｂ通りでは最近ひったくりが多発しており、Ｄ通りでは先週通り魔が現れたとのことであった。そこで、Ａ氏は、Ｃ通りを選択して、飲食店Ｘへ向かった。
【００４７】
＜利用例２＞
Ａ氏は、観光地βへ向かって車を走らせている。そして、観光地βを含む管理対象地域に入ってから最初に携帯電話機３のＧＰＳユニット３５が位置情報（緯度・経度）を取得したことにより、図７の処理が実行され、犯罪種別番号別の件数を列挙した電子メールが携帯電話機３に送信されてきた。観光地βには、表通りに面した駐車場Ｂと、奥まったところにある駐車場Ｃとがあり、一見、駐車場Ｃの方が空いていて車を停めやすそうであったが、当該電子メールによると車上狙いが多発しているとのことであった。そこで、Ａ氏は、駐車場Ｃに駐車するのをやめて、駐車場Ｂを選択した。
【００４８】
（作用効果）
以上のように構成された本実施形態によると、携帯電話機３のＧＰＳユニット３５が位置情報（緯度・経度）を取得する毎に、この位置情報（緯度・経度）がサーバ装置１へ送信され、この位置（緯度・経度）を含む管理対象地域についての犯罪発生データベース１３２〜１３４から当該携帯電話機３について未読の犯罪情報が読み出され、その内容を示す電子メールが当該携帯電話機３へ送信される。同時に、当該位置（緯度・経度）と同じ管理対象地域にその発生場所（緯度・経度）が含まれる犯罪情報がリアルタイム犯罪発生情報データベース１３５から読み出され、その内容を示す電子メールが当該携帯電話機３へ送信される。
【００４９】
従って、サービス利用者が携帯電話機３を持ってある管理対象地域から他の管理対象地域に入った場合には、その後最初にＧＰＳユニット３５が位置情報（緯度・経度）を取得した時点で、当該携帯電話機３が過去最後に当該管理対象地域を出てから当該管理対象地域において発生した犯罪（過去一定期間に発生したものに制限しても良い）についての犯罪情報をまとめた電子メールが、当該携帯電話機３へ送信されてくる。また、サービス提供者が、当該管理対象地域に留まる場合にも、当該管理対象地域内で新たに発生した犯罪についての犯罪情報が犯罪発生データベース１３２〜１３５に登録されると、その後最初にＧＰＳユニット３５が位置情報（緯度・経度）を取得した時点で、その犯罪情報を示す電子メールが、当該携帯電話機３へ送信されてくる。
【００５０】
このように、本実施形態によると、サービス利用者は、自ら積極的に犯罪情報を収集しなくても、自己が現に居る地域についての犯罪情報を、ほぼ漏れなく把握することができる。そのため、サービス利用者は、危険を未然に回避したり、回避できない場合でも、その危険に対する心構えを持つことができる。
【００５１】
（変形例）
本実子形態にでは、携帯電話機３自体に備えられているＧＰＳ３５によって位置情報を取得していたが、この携帯電話機３と直接無線接続している地上局の位置として位置情報を取得しても良い。
【００５２】
また、電子メールには、図８及び図９に示される項目の他、その管理対象地域における犯罪発生頻度、犯罪状況、最寄りの警察署の位置等が記述されていても良い。
【図面の簡単な説明】
【００５３】
【図１】本発明の実施形態によるネットワークシステムの概略構成を示すブロック図
【図２】犯罪種別テーブルのデータ構造を示す表
【図３】犯罪発生データテーブルのデータ構造を示す表
【図４】口コミ情報データテーブルのデータ構造を示す表
【図５】リアルタイム犯罪発生情報データベースへの犯罪情報の登録手順を示すフローチャート
【図６】各犯罪発生データベースへの犯罪情報の登録処理を示すフローチャート
【図７】携帯電話への犯罪情報の配信処理を示すフローチャート
【図８】電子メールの文面例を示す図
【図９】電子メールの文面例を示す図
【符号の説明】
【００５４】
１      サーバ装置
３      携帯電話機
１０      ＣＰＵ
１３      ハードディスク
３０      ＣＰＵ
３１      無線装置
３４      メモリ
３５      ＧＰＳユニット
１２１      データベース更新アプリケーションプログラム
１２２      掲示板更新アプリケーションプログラム
１２３      ＧＰＳ情報振替検査アプリケーションプログラム
１２４      メール作成／送信アプリケーションプログラム
１３１      利用者登録データベース
１３２      犯罪発生データベース
１３５      リアルタイム犯罪発生情報データベース
Ｍ      携帯電話網
Ｎ      インターネット
【図１】
2005277952.tif 000003
【図２】
2005277952.tif 000004
【図３】
2005277952.tif 000005
【図４】
2005277952.tif 000006
【図５】
2005277952.tif 000007
【図６】
2005277952.tif 000008
【図７】
2005277952.tif 000009
【図８】
2005277952.tif 000010
【図９】
2005277952.tif 000011